(57)【要約】【課題】本発明は、表示装置と、それを搭載した移動装置に関するもので、カバーや取付シャフトの損傷を防止するとともに、電気的な信頼性を高めることを目的とするものである。【解決手段】カバー８に、取付シャフト９の一部を、このカバー８内に挿入させる挿入孔１２を設け、この挿入孔１２には筒状の軸受１３を装着し、この軸受１３の貫通孔を介して、取付シャフト９を、カバー８内に挿入した。また、カバー８の内面を削ることによって、炭素繊維の露出部８ａを設け、この露出部８ａを、導電性テープ８ｂで覆う（露出部８ａの面積よりも、導電性テープ８ｂの面積の方が大）とともに、この導電性テープ８ｂを前記表示部６のアースライン、または制御基板８ｃのアースラインに、導電性発泡体よりなる導電体８ｄにて、電気的に接続した。【選択図】図１８
2014160165.tif 000002
【特許請求の範囲】
【請求項１】
表示部と、この表示部の外周側、または背面側を覆ったカバーと、このカバー内に設けられるとともに、前記表示部に電気的に接続された制御基板と、前記カバーをシート講成体に取り付ける筒状、または棒状の取付シャフトとを備え、前記カバーを炭素繊維強化プラスチック（Ｃａｒｂｏｎ  Ｆｉｂｅｒ  Ｒｅｉｎｆｏｒｃｅｄ  Ｐｌａｓｔｉｃｓ）にて形成するとともに、このカバーには、前記取付シャフトの一部を、このカバー内に挿入させる挿入孔を設け、この挿入孔には、一端がカバー内側、他端がカバー外側に位置する筒状の軸受を装着し、この軸受の貫通孔を介して、前記取付シャフトの一部を、前記カバー内に挿入するとともに、前記カバーの内面には、炭素繊維の露出部を設け、この露出部を導電性テープで覆うとともに、この導電性テープを前記表示部のアースライン、または制御基板のアースラインの少なくとも一方に、導電体にて、電気的に接続した表示装置。
【請求項２】
前記導電体は、導電性発泡体によって構成した請求項１に記載の表示装置。
【請求項３】
前記導電性発泡体は、前記導電性テープ表面と、前記表示部、または前記制御基板との間で圧縮状態とした請求項２に記載の表示装置。
【請求項４】
前記導電体は、弾性導電体によって構成した請求項１に記載の表示装置。
【請求項５】
前記取付シャフトを、金属製とし、この取付シャフトと前記カバーを電気的に導通させた請求項１に記載の表示装置。
【請求項６】
前記取付シャフトを、第１、第２の取付シャフトにより構成し、カバーの対向部分には、第１、第２の挿入孔を設け、前記第１の挿入孔には、第１の軸受を装着し、前記第２の挿入孔には、第２の軸受を装着し、前記第１、第２の取付シャフトの一端側を、それぞれシート講成体への取付部とするとともに、前記第１の取付シャフトの他端側を前記第１の軸受の貫通孔を介して、前記カバー内に挿入し、前記第２の取付シャフトの他端側を前記第２の軸受の貫通孔を介して、前記カバー内に挿入し、このカバー内において、前記第１の取付シャフトの他端側と第２の取付シャフトの他端側を連結具で連結した請求項１に記載の表示装置。
【請求項７】
前記第１、第２の取付シャフトと前記連結具を金属製とし、これらの前記第１、第２の取付シャフトと前記連結具の少なくとも一つを、前記カバーと電気的に導通させた請求項６に記載の表示装置。
【請求項８】
前記連結具の外周にはテンション部材を当接させ、このテンション部材が前記カバーに取り付けられた請求項７に記載の表示装置。
【請求項９】
前席は、金属製のシート講成体と、このシート講成体を覆ったカバー材とにより構成され、前記カバー材に設けた開口部から、このカバー材内に、請求項１に記載の表示装置の取付シャフトを挿入し、このカバー材内で、前記シート講成体と前記取付シャフトを連結した移動装置。
【請求項１０】
前記前席の上部に開口部を設け、前記表示装置の表示部を、この前席の背面側に向けて取り付けた請求項９に記載の移動装置。
【発明の詳細な説明】
【技術分野】
【０００１】
本発明は、例えば、自動車、航空機などの移動装置に搭載される表示装置と、それを搭載した移動装置に関するものである。
【背景技術】
【０００２】
例えば、自動車や航空機などの移動装置においては、その前席の上部背面側に、後席者用の表示装置を埋め込んだものが見受けられるが、このように、前席の上部背面側に、後席者用の表示装置を埋め込むと、表示装置の向きを大きく変えることが出来ない。
【０００３】
そこで考えられるのが、取付シャフトを用いて、前席の背面側に表示装置を露出した状態で取り付けることである。
【０００４】
しかしながら、このように表示装置を露出した状態で取り付けると、露出した表示装置に、例えば、子供が悪戯で、ぶら下がったりする虞があるので、表示装置の強度を強くするために、表示部の外周や背面側を覆ったカバーを強固な金属ケースで作らなければならない。
【０００５】
ところが、カバーを強固な金属ケースで構成すると、重量が重くなり、自動車や航空機などの移動装置においては、急停車時の安全性を考慮すると、好ましくないものとなる。
【０００６】
そこで、考えられるのが、カバーを炭素繊維強化プラスチック（Ｃａｒｂｏｎ  Ｆｉｂｅｒ  Ｒｅｉｎｆｏｒｃｅｄ  Ｐｌａｓｔｉｃｓ）にて形成することである（これに類似する先行文献としては、例えば下記特許文献１が存在する）。
【先行技術文献】
【特許文献】
【０００７】
【特許文献１】特開２００５−１４９４６３号公報
【発明の概要】
【発明が解決しようとする課題】
【０００８】
上述のごとく、カバーを炭素繊維強化プラスチックにて形成すると、強度が強く、しかも軽量なので、前席から露出した表示装置であっても、安全性の問題は発生しないものとなる。
【０００９】
しかしながら、炭素繊維強化プラスチックは硬く、脆いものであるので、カバーと取付シャフトとの接触部においては、取付シャフトに傷をつけたり、あるいは炭素繊維強化プラスチックの一部が欠けたりすることになる。
【００１０】
また、炭素繊維強化プラスチックは導電性があるので、この欠片がカバー内に侵入すると電子回路の短絡などの、不用意な電気的な問題を発生させることにもなる。
【００１１】
そこで、本発明は、カバーや取付シャフトの損傷を防止するとともに、不用意な電気的な問題を発生させることを防止することを目的とするものである。
【課題を解決するための手段】
【００１２】
そしてこの目的を達成するために本発明は、表示部と、この表示部の外周側、または背面側を覆ったカバーと、このカバー内に設けられるとともに、前記表示部に電気的に接続された制御基板と、前記カバーをシート講成体に取り付ける筒状、または棒状の取付シャフトとを備え、前記カバーを炭素繊維強化プラスチック（Ｃａｒｂｏｎ  Ｆｉｂｅｒ  Ｒｅｉｎｆｏｒｃｅｄ  Ｐｌａｓｔｉｃｓ）にて形成するとともに、このカバーには、前記取付シャフトの一部を、このカバー内に挿入させる挿入孔を設け、この挿入孔には、一端がカバー内側、他端がカバー外側に位置する筒状の軸受を装着し、この軸受の貫通孔を介して、前記取付シャフトの一部を、前記カバー内に挿入するとともに、前記カバーの内面には、炭素繊維の露出部を設け、この露出部を導電性テープで覆うとともに、この導電性テープを前記表示部のアースライン、または制御基板のアースラインの少なくとも一方に、導電体にて、電気的に接続し、これにより所期の目的を達成するものである。
【発明の効果】
【００１３】
以上のように本発明は、表示部と、この表示部の外周側、または背面側を覆ったカバーと、このカバー内に設けられるとともに、前記表示部に電気的に接続された制御基板と、前記カバーをシート講成体に取り付ける筒状、または棒状の取付シャフトとを備え、前記カバーを炭素繊維強化プラスチック（Ｃａｒｂｏｎ  Ｆｉｂｅｒ  Ｒｅｉｎｆｏｒｃｅｄ
Ｐｌａｓｔｉｃｓ）にて形成するとともに、このカバーには、前記取付シャフトの一部を、このカバー内に挿入させる挿入孔を設け、この挿入孔には、一端がカバー内側、他端がカバー外側に位置する筒状の軸受を装着し、この軸受の貫通孔を介して、前記取付シャフトの一部を、前記カバー内に挿入するとともに、前記カバーの内面には、炭素繊維の露出部を設け、この露出部を導電性テープで覆うとともに、この導電性テープを前記表示部のアースライン、または制御基板のアースラインの少なくとも一方に、導電体にて、電気的に接続したものであるので、カバーや取付シャフトの損傷を防止することができる。
【００１４】
すなわち、本発明においては、カバーに、前記取付シャフトの一部を、このカバー内に挿入させる挿入孔を設け、この挿入孔には、一端がカバー内側、他端がカバー外側に位置する筒状の軸受を装着し、この軸受の貫通孔を介して、前記取付シャフトの一部を、前記カバー内に挿入したものであるので、表示部の傾きを調整する、いわゆるチルト調整時でも、炭素繊維強化プラスチックにて形成したカバーの挿入孔と取付シャフトがこすれた状態となることは無く、その結果としてカバーや取付シャフトの損傷を防止することができるのである。
【００１５】
また、本発明においては、前記カバーの内面には、炭素繊維の露出部を設け、この露出部を導電性テープで覆うとともに、この導電性テープを前記表示部のアースライン、または制御基板のアースラインの少なくとも一方に、導電体にて、電気的に接続したものであるので、カバーを介して、表示部のアースライン、または制御基板のアースラインの少なくとも一方のアース接続が可能となる。
【００１６】
すなわち、カバーは炭素繊維強化プラスチック（Ｃａｒｂｏｎ  Ｆｉｂｅｒ  Ｒｅｉｎｆｏｒｃｅｄ  Ｐｌａｓｔｉｃｓ）にて形成されたものであり、その内部の炭素繊維は導電性を有するものであるので、前記カバーの内面には、炭素繊維の露出部を設け、この露出部を導電性テープで覆うとともに、この導電性テープを前記表示部のアースライン、または制御基板のアースラインの少なくとも一方に、導電体にて、電気的に接続すれば、このカバーを介して、表示部のアースライン、または制御基板のアースラインの少なくとも一方のアース接続が可能となるのである。
【００１７】
また、炭素繊維強化プラスチックは、高強度で高弾性の特性をもつ。つまり、力が加わった状態での変形量が大きくても、その加重が無くなれば元の状態に戻る。そのような場合でも、カバーにおける炭素繊維の露出部は導電性テープ（通常、炭素繊維強化プラスチックよりも高弾性である）で覆っているので、この炭素繊維の露出部から、炭素繊維の導電粉がカバー内に飛散することも無く、その結果として、導電粉による電気的な問題の発
生を防止することが出来るのである。
【図面の簡単な説明】
【００１８】
【図１】本発明の一実施形態にかかる表示装置を搭載した自動車の室内の前席を示す斜視図
【図２】同、斜視図
【図３】同、前席の一部を切り欠いた斜視図
【図４】同、前席の一部を切り欠いた斜視図
【図５】同、表示装置の側面図
【図６】同、表示装置の背面図
【図７】同、表示装置の正面図
【図８】同、表示装置の上面図
【図９】同、表示装置の制御ブロック図
【図１０】同、表示装置のカバーの斜視図
【図１１】同、表示装置のカバーの側面図
【図１２】同、表示装置の取付シャフト部分の分解斜視図
【図１３】同、表示装置の取付シャフト部分の縦断面図
【図１４】同、表示装置の取付シャフト部分の縦断面図
【図１５】同、表示装置のカバーの内面側の斜視図
【図１６】同、表示装置の取付シャフト間部分の縦断面図
【図１７】同、カバーの一部断面図
【図１８】同、カバーの一部断面図
【図１９】同、表示装置の分解斜視図
【発明を実施するための形態】
【００１９】
以下、本発明の一実施形態を、添付図面を用いて説明する。
【００２０】
（実施の形態１）
図１、図２は、自動車の前席で、運転席や助手席がその一例である。
【００２１】
前席１は、図３、図４にその一部が記載されている金属製のシート講成体２と、このシート講成体２を覆ったカバー材３、およびカバー材３上に設けたヘッドレスト４により構成されている。
【００２２】
本実施形態で特徴的なのは、金属製のシート講成体２を利用して、前席１の上部背面側に表示装置５を取り付けたことである。
【００２３】
表示装置５は、図５〜図８から理解されるように、前席１の上部背面側から後方に向けて配置される表示部６と、この表示部６の外周側を覆ったカバー７と、この表示部６の背面側（前席１側）を覆ったカバー８と、このカバー８をシート講成体２に取り付ける図１２に示す筒状（または棒状）の２本の取付シャフト９と、これら２本の取付シャフト９を覆ったカバー１０とを備えている。
【００２４】
前記カバー７、８、１０はいずれも、炭素繊維強化プラスチック（Ｃａｒｂｏｎ  Ｆｉｂｅｒ  Ｒｅｉｎｆｏｒｃｅｄ  Ｐｌａｓｔｉｃｓ）にて形成したものである。
【００２５】
このうち、カバー８の背面側（前席１側）には、図１０、図１１に示すように背面側に突出した突出部１１が設けられ、またこの突出部１１の対向部分には、取付シャフト９の一部である上端部分を挿入するための挿入孔１２が設けられている。
【００２６】
さらに、この挿入孔１２には、図１２、図１４に示す筒状の軸受１３が装着されている。
【００２７】
そして、この軸受１３の貫通孔を介して、前記２本の取付シャフト９の上端が、前記カバー８内に挿入されている。
【００２８】
また、２本の取付シャフト９の上端は、図１２から理解されるように、前記カバー８内において、筒状の連結具１４内に挿入され、その後、ピン１５を取付シャフト９の貫通孔１６と連結具１４の貫通孔１７に挿入することで、２本の取付シャフト９の上端は、連結具１４によって連結されるようになっている。
【００２９】
なお、このような組み立てを行う時には、カバー８からカバー７を取り外した状態で行うようにしている。
【００３０】
一方、この２本の取付シャフト９の下端は、図３、図４から理解されるように、前記カバー材３に設けた開口部１８から、このカバー材３内に挿入され、このカバー材３内で、シート講成体２と取付ネジ１９などを用いて固定されている。
【００３１】
以上の構成とすれば、表示装置５は、図１〜図４のごとく、前席１の背面側において、この前席１を構成する金属製のシート講成体２に、２本の取付シャフト９を介して強固に取り付けられることになる。
【００３２】
そして、この状態では、その表示部６が後席側に向けられているので、後席側から表示部６を見ることができる。
【００３３】
つまり、この表示装置５は、図９に示すように制御部２０に表示部６、メモリ２１、電源部２２、音声出力部２３を接続した構成となっているので、例えばメモリ２１に記録された映像や音声を後席側から視聴することができるようになっているのである。
【００３４】
さて、このような視聴時において、表示部６の傾き調整、いわゆるチルト調整を行う時には、表示部６を持って簡単に行うことが出来る。
【００３５】
つまり、本実施形態においては、２本の取付シャフト９の上端が軸受１３の貫通孔に挿入された構造となっているので、表示部６のチルト調整は、軸受１３の周りに簡単に行うことが出来るのである。
【００３６】
また、この表示部６の回動に対する適度のテンションをかけるために、本実施形態では、図１６から理解されるように、連結具１４の外周に、弾性部材よりなるＣ字状のテンション部材２４を当接させ、このテンション部材２４の端部はカバー８の取り付け部２５に挿入して取り付けている。
【００３７】
なお、図１２のリング２６は、テンション部材２４が、連結具１４の外周を左右に大きく移動するのを防止する移動防止リングで、それぞれ左右の軸受１３に固定されている。
【００３８】
また、これらの図１０、図１５、図１６から理解されるように、カバー８の突出部１１下部には、各種配線を引き出すための開口部２７が設けられている。
【００３９】
なお、本実施形態における金属製のシート講成体２は、自動車のアースとなっているので、これに固定した金属製の取付シャフト９、取付シャフト９に連結した金属製の連結具１４、連結具１４に当接させた金属製のテンション部材２４を介してカバー８、７はアースされた状態となるので、カバー７、８内の電子部品に対するノイズによる影響を大幅に向上させることができる。
【００４０】
つまり、炭素繊維強化プラスチックで形成したカバー７、８は導電性を有するものであるので、これを上述した経路でアース接続すれば、カバー７、８内の電子部品に対するノイズによる影響を大幅に向上させることができるのである。
【００４１】
また、カバー７、８を炭素繊維強化プラスチックで形成すれば、強度が極めて高く、しかも軽量となるので、図１、図２に示したように前席１に上部背面側に取り付けても、違和感の少ないものとなる。
【００４２】
さらに、強度が極めて高く、しかも軽量となるので、その分、表示部６を大きくすることも出来るようになる。
【００４３】
なお、カバー１０には、図１３に示すように、取付シャフト９の位置決めを行うためのリブ２８が形成されているので、取付シャフト９の位置決めも適切に行える。
【００４４】
次に、本実施形態における、他の特徴点について説明する。
【００４５】
本実施形態においては、図１７に示すように、カバー８の内面を削ることによって、炭素繊維の露出部８ａを設け、この露出部８ａを図１８のごとく、導電性テープ８ｂで覆う（露出部８ａの面積よりも、導電性テープ８ｂの面積の方が大）。
【００４６】
さらに、この導電性テープ８ｂは、前記表示部６のアースライン（図示せず）、または制御基板（図６の表示部６以外の回路を構成）８ｃのアースライン（図示せず）に、導電性発泡体よりなる導電体８ｄにて、電気的に接続される。
【００４７】
よって、カバー８を介して、表示部６のアースライン、または制御基板８ｃのアースラインは、導電体８ｄ、導電性テープ８ｂ、炭素繊維の露出部８ａ、カバー８、テンション部材２４、連結具１４、取付シャフト９、金属製のシート講成体２へとアース接続可能となる。
【００４８】
なお、このようなアース接続を行うためには、テンション部材２４の端部をカバー８の取り付け部２５に挿入する際に、テンション部材２４の端部を、カバー８を構成する炭素繊維に動通させる必要がある（カバー８の外部において、別の露出部８ａを設け、ここを利用して金属製のシート講成体２との接続をすることも可能である）。
【００４９】
すなわち、カバー８は炭素繊維強化プラスチック（Ｃａｒｂｏｎ  Ｆｉｂｅｒ  Ｒｅｉｎｆｏｒｃｅｄ  Ｐｌａｓｔｉｃｓ）にて形成されたものであり、その内部の炭素繊維は導電性を有するものであるので、前記カバー８の内面には、炭素繊維の露出部８ａを設け、この露出部８ａを導電性テープ８ｂで覆うとともに、この導電性テープ８ｂを前記表示部６のアースライン、または制御基板８ｃのアースラインに、導電体８ｄにて、電気的に接続すれば、このカバー８を介して、表示部６のアースライン、または制御基板８ｃのアースラインを、金属製のシート講成体２へとアース接続が可能となるのである。
【００５０】
また、炭素繊維強化プラスチックは、高強度で高弾性の特性をもつ。つまり、力が加わった状態での変形量が大きくても、その加重が無くなれば元の状態に戻る。そのような場合でも、カバー８における炭素繊維の露出部８ａは導電性テープ８ｂ（通常、炭素繊維強化プラスチックよりも高弾性である）で覆っているので、この炭素繊維の露出部８ａから、炭素繊維の導電粉がカバー８内に飛散することも無く、その結果として、導電粉による電気的な問題の発生を防止することが出来るのである。
【産業上の利用可能性】
【００５１】
以上のように本発明は、表示部と、この表示部の外周側、または背面側を覆ったカバーと、このカバーをシート講成体に取り付ける筒状、または棒状の取付シャフトとを備え、前記カバーを炭素繊維強化プラスチック（Ｃａｒｂｏｎ  Ｆｉｂｅｒ  Ｒｅｉｎｆｏｒｃｅｄ  Ｐｌａｓｔｉｃｓ）にて形成するとともに、このカバーには、前記取付シャフトの一部を、このカバー内に挿入させる挿入孔を設け、この挿入孔には、一端がカバー内側、他端がカバー外側に位置する筒状の軸受を装着し、この軸受の貫通孔を介して、前記取付シャフトの一部を、前記カバー内に挿入するとともに、前記筒状の軸受のカバー内側部分には、前記カバーの挿入口の外周方向に延長されたフランジを設け、このフランジのカバー側面と、前記カバーの内面との間にパッキンを設けたものであるので、カバーや取付シャフトの損傷を防止することができる。
【００５２】
また、本発明においては、前記カバーの内面には、炭素繊維の露出部を設け、この露出部を導電性テープで覆うとともに、この導電性テープを前記表示部のアースライン、または制御基板のアースラインの少なくとも一方に、導電体にて、電気的に接続したものであるので、カバーを介して、表示部のアースライン、または制御基板のアースラインの少なくとも一方のアース接続が可能となる。
【００５３】
さらに、本発明においては、カバーにおける炭素繊維の露出部は導電性テープで覆っているので、この炭素繊維の露出部から、炭素繊維の導電粉がカバー内に拡散することも無く、その結果として、導電粉による電気的な問題の発生を防止することが出来るのである。
【００５４】
したがって、移動装置用などの表示装置としての活用が期待されるものとなる。
【符号の説明】
【００５５】
１  前席
２  シート講成体
３  カバー材
４  ヘッドレスト
５  表示装置
６  表示部
７  カバー
８  カバー
８ａ  露出部
８ｂ  導電性テープ
８ｃ  制御基板
８ｄ  導電体
９  取付シャフト
１０  カバー
１１  突出部
１２  挿入孔
１３  軸受
１４  連結具
１５  ピン
１６  貫通孔
１７  貫通孔
１８  開口部
１９  取付ネジ
２０  制御部
２１  メモリ
２２  電源部
２３  音声出力部
２４  テンション部材
２５  取り付け部
２６  リング
２７  開口部
２８  リブ
【図１】
2014160165.tif 000003
【図２】
2014160165.tif 000004
【図３】
2014160165.tif 000005
【図４】
2014160165.tif 000006
【図５】
2014160165.tif 000007
【図６】
2014160165.tif 000008
【図７】
2014160165.tif 000009
【図８】
2014160165.tif 000010
【図９】
2014160165.tif 000011
【図１０】
2014160165.tif 000012
【図１１】
2014160165.tif 000013
【図１２】
2014160165.tif 000014
【図１３】
2014160165.tif 000015
【図１４】
2014160165.tif 000016
【図１５】
2014160165.tif 000017
【図１６】
2014160165.tif 000018
【図１７】
2014160165.tif 000019
【図１８】
2014160165.tif 000020
【図１９】
2014160165.tif 000021